(57)【要約】【課題】装着者が指を曲げたときは弱い力で変形し、一旦伸びた後、元の形状に戻るときはゆっくり戻り、かつ、装着者が手袋を外した後は使用前に近い状態にまで戻るスポーツ用手袋およびゴルフ用手袋を提供する。【解決手段】装着者の手の甲の少なくとも一部に当接する手甲部２と、装着者の掌の一部に当接する手掌部３とを備えたスポーツ用手袋であって、手甲部２は合成皮革からなり、合成皮革は、装着者の手の挿入方向に沿って切り出された幅２５ｍｍで長さ１４０ｍｍの試験片を、チャック間距離１００ｍｍ、引っ張り速度２００ｍｍ／ｍｉｎで引っ張って上記挿入方向に３０パーセント伸ばすための必要張力の最大値が４０Ｎ以下であり、試験片を伸ばす張力を０Ｎに戻した時点での挿入方向の伸び率が１０パーセント以上であり、かつ、試験片を伸ばす張力を０Ｎに戻した後、フリーにした状態で２４時間経過後の挿入方向の伸び率が３パーセント以下である。【選択図】図１
2013158533.tif 000002
【特許請求の範囲】
【請求項１】
装着者の手の甲の少なくとも一部に当接する手甲部と、
装着者の掌の一部に当接する手掌部とを備えたスポーツ用手袋であって、
前記手甲部は合成皮革からなり、
前記合成皮革は、装着者の手の挿入方向に沿って切り出された幅２５ｍｍ、長さ１４０ｍｍの試験片を、チャック間距離１００ｍｍ、引っ張り速度２００ｍｍ／ｍｉｎで引っ張って３０パーセント伸ばし、３０パーセント伸ばした状態で３０秒間保持し、その後、戻し速度２００ｍｍ／ｍｉｎで戻したとき、前記挿入方向に３０パーセント伸ばすための必要張力の最大値が４０Ｎ以下であり、前記試験片を伸ばす張力を０Ｎに戻した時点での前記挿入方向の伸び率が１０パーセント以上であり、かつ、前記試験片を伸ばす張力を０Ｎに戻した後、フリーにした状態で２４時間経過後の前記挿入方向の伸び率が３パーセント以下である、スポーツ用手袋。
【請求項２】
前記合成皮革は、装着者の手の挿入方向に直交する方向に沿って切り出された幅２５ｍｍ、長さ１４０ｍｍの試験片を、チャック間距離１００ｍｍ、引っ張り速度２００ｍｍ／ｍｉｎで引っ張って３０パーセント伸ばし、３０パーセント伸ばした状態で３０秒間保持し、その後、戻し速度２００ｍｍ／ｍｉｎで戻したとき、前記挿入方向に直交する方向に３０パーセント伸ばすための必要張力の最大値が４０Ｎ以下であり、前記試験片を伸ばす張力を０Ｎに戻した時点での前記挿入方向に直交する方向の伸び率が１０パーセント以上であり、かつ、前記試験片を伸ばす張力を０Ｎにした後、フリーにした状態で２４時間経過後の前記挿入方向に直交する方向の伸び率が３パーセント以下である、請求項１に記載のスポーツ用手袋。
【請求項３】
前記合成皮革は、基布および該基布上に形成された樹脂層を含む湿式合成皮革からなり、
前記樹脂層は、高弾性のハードコンポーネントと、低弾性のソフトコンポーネントとを含む樹脂からなり、
前記ソフトコンポーネントは、反発ゴム弾性の低いポリウレタンを含む、請求項１または請求項２に記載のスポーツ用手袋。
【請求項４】
前記樹脂層は、該樹脂層の表面に達する通気孔を有し、ＪＩＳ  Ｌ１０９６Ａ法で５．０ｃｍ３／ｃｍ２／ｓｅｃ以上の通気性を有する、請求項３に記載のスポーツ用手袋。
【請求項５】
装着者の手の甲の少なくとも一部に当接する手甲部と、
装着者の掌の一部に当接する手掌部とを備えたゴルフ用手袋であって、
前記手甲部は合成皮革からなり、
前記合成皮革は、装着者の手の挿入方向に沿って切り出された幅２５ｍｍ、長さ１４０ｍｍの試験片を、チャック間距離１００ｍｍ、引っ張り速度２００ｍｍ／ｍｉｎで引っ張って３０パーセント伸ばし、３０パーセント伸ばした状態で３０秒間保持し、その後、戻し速度２００ｍｍ／ｍｉｎで戻したとき、前記挿入方向に３０パーセント伸ばすための必要張力の最大値が４０Ｎ以下であり、前記試験片を伸ばす張力を０Ｎに戻した時点での前記挿入方向の伸び率が１０パーセント以上であり、かつ、前記試験片を伸ばす張力を０Ｎに戻した後、フリーにした状態で２４時間経過後の前記挿入方向の伸び率が３パーセント以下である、ゴルフ用手袋。
【発明の詳細な説明】
【技術分野】
【０００１】
本発明は、スポーツ用手袋およびゴルフ用手袋に関し、特に、一般的なスポーツに用いるスポーツ用手袋、ゴルファーが装着するゴルフ用手袋に関する。
【背景技術】
【０００２】
ゴルフなどのスポーツ時に着用する手袋の素材として、天然皮革の羊革とともに、主に不織布で構成された人工皮革や、基布を織物や編物で構成し、その表面にウレタン等の樹脂をコーティング、あるいは貼り付けなどした合成皮革が広く用いられている。
【０００３】
天然皮革は、装着者が指を曲げることにより変形すると、荷重を開放した後も、その形状を保持しやすい傾向にある。したがって、天然皮革を用いた手袋は、装着者の手になじみやすいという利点がある。また、天然皮革は、通気性およびグリップ性に優れている。反面、天然皮革は、後述する人工皮革および合成皮革と比べて、コストが若干高い。
【０００４】
人工皮革は、厚み方向に繊維が均一であり、縦、横方向に繊維がランダムに配向しているため、一般的に伸びが小さい傾向にある。人工皮革の表面に樹脂層を形成すると、厚みが厚く硬くなりすぎるとともに、伸びが小さくなりすぎるため、スポーツ用手袋においては、上述のとおり、主に不織布のみで人工皮革を構成し、その表面に樹脂層を形成しないことが多い。表面に樹脂層を形成しない人工皮革は、通気性に優れている。また、人工皮革では、天然皮革に似た肌触りを得ることができる。さらに、人工皮革は、天然皮革と比べて、コストを低く抑えることができる。
【０００５】
合成皮革は、人工皮革と比較して、表面に樹脂層を形成しても、所定の伸びを確保することが可能である。よって、スポーツ用手袋においては、表面に樹脂層を形成した合成皮革が広く用いられている。合成皮革には、基布上に樹脂フィルム等を貼り付けた乾式合成皮革と、基布上にウレタン樹脂等を塗布した湿式合成皮革とがある。スポーツ用手袋の分野では、湿式合成皮革がよく用いられる。
【０００６】
表面に樹脂層を形成した合成皮革においては、樹脂層が弾性を有するため、一度伸びても元の形状に戻りやすいという特徴がある。また、合成皮革は、人工皮革と比べても、さらにコストを低く抑えることができる。
【先行技術文献】
【特許文献】
【０００７】
【特許文献１】特開平１１−２９０４９７号公報
【発明の概要】
【発明が解決しようとする課題】
【０００８】
装着者の手の甲に当接する手甲部は、指を曲げることによって伸ばされ、再度指を伸ばすことによって元に戻される。手甲部の伸び、および伸びた後の戻りの特性は、手袋の装着感に大きく影響する。
【０００９】
スポーツ用手袋、特にゴルフ用手袋においては、グリップ時等において、指を曲げるため、装着者が指を曲げたときはツッパリ感を防ぐために弱い力で手甲部を変形させたいという要請がある。また、手になじむ感覚を得るという観点では、一旦伸びた手甲部は、ゆっくりと元の形状に戻ることが好ましい。
【００１０】
ゆっくりと元の形状に戻るという観点からは、手甲部を天然皮革で構成することが好ましい。しかし、天然皮革は、一旦変形すると、元の形状に戻り難いため、複数回の使用、または、複数の装着者による装着（たとえば、手袋の販売の現場では、試着により、複数の装着者が同じ手袋を装着する場合がある。）を経ると、新品の感覚を得ることができなくなる。
【００１１】
上述のとおり、「ゆっくりと元の形状に戻る」（手になじむ感覚）、「使用前に近い状態にまで戻る」（新品の感覚）という、相反した２つの課題が存在するが、この相反する２つの課題を両立させようとする発想自体が、従来なかったものである。
【００１２】
たとえば、特開平１１−２９０４９７号公報（特許文献１）に記載の手袋では、手甲部を化学繊維織物および綿織物の二層構造とし、型崩れを防止しようとしているが、かかる二層構造では、天然皮革のように、手になじむ感覚を得ることはできない。
【００１３】
本発明の目的は、装着者が指を曲げたときは弱い力で変形し、一旦伸びた後、元の形状に戻るときはゆっくり戻り、かつ、装着者が手袋を外した後は使用前に近い状態にまで戻るスポーツ用手袋およびゴルフ用手袋を提供することにある。すなわち、本発明の目的は、「ゆっくりと元の形状に戻る」（手になじむ感覚）、「使用前に近い状態にまで戻る」（新品の感覚）という、相反した２つの課題を両立させた上で、「弱い力で変形させる」という、３つ目の課題をも同時に解決しようとするものである。
【課題を解決するための手段】
【００１４】
本発明に係るスポーツ用手袋は、装着者の手の甲の少なくとも一部に当接する手甲部と、装着者の掌の一部に当接する手掌部とを備えたスポーツ用手袋であって、手甲部は合成皮革からなり、合成皮革は、装着者の手の挿入方向に沿って切り出された幅２５ｍｍ、長さ１４０ｍｍの試験片を、チャック間距離１００ｍｍ、引っ張り速度２００ｍｍ／ｍｉｎで引っ張って３０パーセント伸ばし、３０パーセント伸ばした状態で３０秒間保持し、その後、戻し速度２００ｍｍ／ｍｉｎで戻したとき、上記挿入方向に３０パーセント伸ばすための必要張力の最大値が４０Ｎ以下であり、試験片を伸ばす張力を０（ゼロ）Ｎに戻した時点での挿入方向の伸び率が１０パーセント以上であり、かつ、試験片を伸ばす張力を０（ゼロ）Ｎに戻した後２４時間経過後の挿入方向の伸び率が３パーセント以下である。
【００１５】
１つの実施態様では、上記スポーツ用手袋において、合成皮革は、装着者の手の挿入方向に直交する方向に沿って切り出された幅２５ｍｍ、長さ１４０ｍｍの試験片を、チャック間距離１００ｍｍ、引っ張り速度２００ｍｍ／ｍｉｎで引っ張って３０パーセント伸ばし、３０パーセント伸ばした状態で３０秒間保持し、その後、戻し速度２００ｍｍ／ｍｉｎで戻したとき、挿入方向に直交する方向に３０パーセント伸ばすための必要張力の最大値が４０Ｎ以下であり、試験片を伸ばす張力を０（ゼロ）Ｎに戻した時点での挿入方向に直交する方向の伸び率が１０パーセント以上であり、かつ、試験片を伸ばす張力を０（ゼロ）Ｎにした後２４時間経過後の挿入方向に直交する方向の伸び率が３パーセント以下である。
【００１６】
１つの実施態様では、上記スポーツ用手袋において、合成皮革は、基布および該基布上に形成された樹脂層を含む湿式合成皮革からなり、樹脂層は、高弾性のハードコンポーネントと、低弾性のソフトコンポーネントとを含む樹脂からなり、ソフトコンポーネントは、反発ゴム弾性の低いポリウレタンを含む。
【００１７】
１つの実施態様では、上記スポーツ用手袋において、樹脂層は、該樹脂層の表面に達する通気孔を有し、ＪＩＳ  Ｌ１０９６Ａ法で５．０ｃｍ３／ｃｍ２／ｓｅｃ以上の通気性を有する。
【００１８】
本発明に係るゴルフ用手袋は、装着者の手の甲の少なくとも一部に当接する手甲部と、装着者の掌の一部に当接する手掌部とを備えたゴルフ用手袋であって、手甲部は合成皮革からなり、合成皮革は、装着者の手の挿入方向に沿って切り出された幅２５ｍｍ、長さ１４０ｍｍの試験片を、チャック間距離１００ｍｍ、引っ張り速度２００ｍｍ／ｍｉｎで引っ張って３０パーセント伸ばし、３０パーセント伸ばした状態で３０秒間保持し、その後、戻し速度２００ｍｍ／ｍｉｎで戻したとき、上記挿入方向に３０パーセント伸ばすための必要張力の最大値が４０Ｎ以下であり、試験片を伸ばす張力を０（ゼロ）Ｎに戻した時点での挿入方向の伸び率が１０パーセント以上であり、かつ、試験片を伸ばす張力を０（ゼロ）Ｎに戻した後２４時間経過後の挿入方向の伸び率が３パーセント以下である。
【発明の効果】
【００１９】
本発明に係るスポーツ用手袋およびゴルフ用手袋によれば、幅２５ｍｍ、長さ１４０ｍｍの試験片を、チャック間距離１００ｍｍ、引っ張り速度２００ｍｍ／ｍｉｎで引っ張って３０パーセント伸ばすための必要張力の最大値が４０Ｎ以下である合成皮革によって手甲部を構成するため、装着者が指を曲げたときに、手甲部を弱い力で伸ばすことができる。
【００２０】
また、上記合成皮革は、試験片を伸ばす張力を０（ゼロ）Ｎに戻した時点の伸び率が１０パーセント以上であるため、手甲部は、一旦伸びた後、元の形状に向けて戻るときはゆっくり戻り、天然皮革のような感覚を装着者が味わうことができる。
【００２１】
他方、上記合成皮革は、試験片を伸ばす張力をゼロに戻した後、フリーにした状態で２４時間経過後の伸び率が３パーセント以下であるため、装着者が手袋を外した後は使用前に近い状態にまで戻り、複数回使用しても、または、複数の装着者が装着しても、新品の感覚を装着者が繰り返し味わうことができる。
【図面の簡単な説明】
【００２２】
【図１】本発明の１つの実施の形態に係るゴルフ用手袋を手の甲側からみた状態を示す図である。
【図２】ゴルフ用手袋の手甲部を構成する皮革の試験片を１３０％の長さに伸ばすための必要張力を測定した結果を示す図である。
【図３】ゴルフ用手袋の手甲部を構成する皮革の試験片を１３０％の長さに伸ばし、荷重をゼロに戻した後の伸び率の戻り方を測定した結果を示す図である。
【図４】ヒトの手の骨を示した透過図である。
【図５】本発明の１つの実施の形態に係るゴルフ用手袋の手甲部を構成する湿式合成皮革の断面を示す図である。
【図６】本発明の１つの実施の形態に係るゴルフ用手袋の手甲部を構成する湿式合成皮革の表面を示す図である。
【図７】比較例に係るゴルフ用手袋の手甲部を構成する湿式合成皮革の表面を示す図（その１）である。
【図８】比較例に係るゴルフ用手袋の手甲部を構成する湿式合成皮革の表面を示す図（その２）である。
【図９】比較例に係るゴルフ用手袋の手甲部を構成する羊革（天然皮革）表面を示す図である。
【図１０】ゴルフ用手袋の手甲部を構成する皮革の特性を示した比較表である。
【発明を実施するための形態】
【００２３】
以下に、本発明の実施の形態について説明する。なお、同一または相当する部分に同一の参照符号を付し、その説明を繰返さない場合がある。
【００２４】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００２５】
図１は、本実施の形態に係るゴルフ用手袋を手の甲側からみた状態を示す図である。図１を参照して、本実施の形態に係るゴルフ用手袋１は、装着者の手の甲に当接する手甲部２と、装着者の掌に当接する手掌部３と、装着者の指の側面上に位置し、手甲部２および手掌部３に縫着される襠４とを有する。ここで、「掌」とは手首から先の内側の面（指を含む）を意味し、「手の甲」とは掌の反対側を意味する。
【００２６】
本実施の形態に係るゴルフ用手袋においては、手甲部２を構成する素材として、湿式合成皮革を用いている。なお、手掌部３および襠４を構成する素材は、天然皮革、人工皮革および合成皮革のいずれであってもよい。一例では、手掌部３は天然皮革により構成され、襠４は人工皮革により構成される。
【００２７】
本実施の形態に係るスポーツ用手袋は、手甲部２を構成する湿式合成皮革の特性に特徴を有する。
【００２８】
具体的には、手甲部２を、小さな力で所定量伸びやすい合成皮革とすることで、装着者が指を曲げたときに、手甲部を弱い力で伸ばすことができるものである。
【００２９】
また、手甲部２を、元の形状に向けて戻るときはゆっくり戻る合成皮革とすることで、天然皮革のような「手になじむ感覚」を装着者が味わうことができるものである。
【００３０】
さらに、手甲部２を、装着者が手袋を外した後は使用前に近い状態にまで戻る合成皮革とすることで、手袋を複数回使用しても、または、複数の装着者が手袋を装着しても、「新品の感覚」を装着者が繰り返し味わうことができるものである。
【００３１】
本実施の形態において、手甲部２を構成する上記合成皮革の基布は、編物であることが好ましく、さらに好ましくは、経編のハーフトリコットで、いずれか一方向の１ｋｇ荷重時の伸び率が４〜３６パーセント程度（より好ましくは８〜２４パーセント）、引張強度は１００Ｎ／３ｃｍ以上であるものが望ましい。
【００３２】
また、手甲部２を構成する上記合成皮革の樹脂層としては、ソフトコンポーネントに反発ゴム弾性の低いポリウレタンを含むものが好ましい。典型的な一例（後述の実施例１，２）では、ソフトコンポーネントとして、反発ゴム弾性の低いポリウレタンおよび通常ポリウレタンを、４：６の比（重量パーセント）で配合したものが用いられる。
【００３３】
本願発明者は、さまざまな皮革材料からなる長さ１４０ｍｍの試験片をチャック間距離１００ｍｍ、引っ張り速度２００ｍｍ／ｍｉｎで引っ張って３０％伸ばし、３０％伸ばした状態で３０秒間保持し、その後、戻し速度２００ｍｍ／ｍｉｎで、試験片を伸ばす張力が０（ゼロ）Ｎになるまで戻すという評価試験を行なった。
【００３４】
図２は、手甲部２を構成する皮革の試験片を３０パーセント伸ばすための必要張力を測定した結果を示す図である。図２中には、本発明の実施例１，２の他、比較例１〜８に係るデータも示している。
【００３５】
なお、比較例１〜８に係る合成皮革としては、以下のものを用いている。
比較例１（合成皮革Ａ）：東洋クロス（株）製−Ｇ５
比較例２（合成皮革Ｂ）：東レコーテックス（株）製−ＴＲＹＴ３５００
比較例３（合成皮革Ｃ）：韓国  （株）徳成製−ＫＤＳ３５０
比較例４（合成皮革Ｄ）：東レコーテックス（株）製−３０００ＢＧＫ
比較例５（合成皮革Ｅ）：小松精練（株）製−８０５２
比較例６（人工皮革Ａ）：（株）クラレ製−８０５０
比較例７（人工皮革Ｂ）：（株）クラレ製−７４００
比較例８（羊革）：ケニー（株）製−羊革
なお、実施例１，２の違いは、基布の違いであり、実施例１の基布としては、密度の高い経編みものを用い、実施例２の基布としては、密度の低い経編みものを用いている。
【００３６】
なお、図２に示す結果は、幅：２５ｍｍ×長さ：１４０ｍｍの試験片を、チャック間距離：１００ｍｍのチャックで固定し、３０パーセント伸ばした（２００ｍｍ／ｍｉｎの速さで、チャック間距離を１００ｍｍから１３０ｍｍにまで伸ばした）ときに測定された張力の最大値を示したものである。
【００３７】
また、図２における「縦」、「横」は、各々、図１中の矢印ＤＲ１方向（装着者の手の挿入方向）および矢印ＤＲ２方向（矢印ＤＲ１方向に直交する方向）に沿って切り出された試験片を、当該各方向に３０パーセント伸ばしたときの張力を示したものである（後述する図３も同様である。）。装着者が指を曲げるときの曲げやすさには、実際に指の曲げ伸ばしを行なうために、「縦」方向の必要張力が強く影響する。また、手を握る動きをしたときには、手甲部の指の付根部の周囲長も広がるため、「横」方向の必要張力も影響する。
【００３８】
図２に示すように、いずれの例（比較例１〜８、実施例１，２）においても、「横」方向に比べて、「縦」方向の必要張力が大きい。装着者が手袋を装着したときに、手甲部２は、装着者の手の形に合わせて変形する（伸びる）必要がある。したがって、いずれの例においても、「横」方向には伸びやすくされている。これは、手袋一般に該当する傾向である。
【００３９】
また、人工皮革の比較例６，７、および羊革の比較例８は、「縦」方向の必要張力が、いずれも５０Ｎ以上であるのに対し、合成皮革の比較例１〜５の「縦」方向の必要張力については、３５〜５０Ｎ程度と様々である。そして、本発明の実施例１，２に係る合成皮革については、「縦」方向の必要張力がいずれも４０Ｎ以下と低い。この傾向は、実施例２において特に顕著である。
【００４０】
すなわち、実施例１，２（特に実施例２）に係る手袋では、弱い力で手甲部２を伸ばすことができるので、装着者が指を曲げやすい。
【００４１】
図３は、手甲部２を構成する皮革の試験片を３０パーセント伸ばし、荷重をゼロに戻した後の伸び率の戻り方を測定した結果を示す図である。なお、図３に示す結果を得るために、試験片には、中央部に引張方向に沿って８０ｍｍの長さの直線を描いておく。図３に示す伸び（％）は、上記８０ｍｍの長さの直線がどの程度伸びているかを測定することによって求められたものである。
【００４２】
図３において、「荷重戻し後」は、引張荷重を減じていき、その値がゼロになった時点での伸び率を、試験機の結果から読み取った数値で示すものである。同「チャック解放後」および同「２４ｈ後」は、ともに、上記８０ｍｍの長さの直線の変化量から求めたものである。それぞれに関し、「チャック解放後」は、引張荷重がゼロになった後、すぐに、試験片を固定していたチャックを解放した時点での伸び率を示すものである。「２４ｈ後」は、引張荷重がゼロになった後、フリーにした状態で２４時間経過した時点での伸び率を示すものである。
【００４３】
図３に示すように、合成皮革の比較例１〜５については、「荷重戻し後」の伸び率が、「縦」、「横」方向ともに１０パーセント以下であるのに対し、人工皮革の比較例６，７、および羊革の比較例８については、「荷重戻し後」の伸び率が、「縦」、「横」方向ともに１０パーセント以上である。
【００４４】
すなわち、合成皮革の比較例１〜５は、人工皮革の比較例６，７、および羊革の比較例８と比較して、引張荷重を除去したときに、元に戻りやすい傾向がある。したがって、比較例１〜５に係る手袋では、「手になじむ感覚」が損なわれることが懸念される。
【００４５】
これに対し、本発明の実施例１，２では、樹脂層におけるソフトコンポーネントに反発ゴム弾性の低いポリウレタンを含ませることにより、合成皮革でありながら、「荷重戻し後」の伸び率が、「縦」、「横」方向ともに１０パーセント以上である。すなわち、実施例１，２に係る手袋では、手甲部２が伸びた状態から元に戻るとき、ゆっくりと戻るため、天然皮革の手袋と同等の「手になじむ感覚」を得ることができる。
【００４６】
さらに、図３に示すように、合成皮革の比較例１〜５については、「２４ｈ後」の伸び率が、「縦」、「横」方向ともに３パーセント以下であるのに対し、人工皮革の比較例６，７、および羊革の比較例８については、「２４ｈ後」の伸び率が、「縦」、「横」方向ともに３パーセント以上である。
【００４７】
すなわち、人工皮革の比較例６，７、および羊革の比較例８は、合成皮革の比較例１〜５と比較して、一度伸びると元に戻りにくい傾向がある。したがって、比較例６〜８に係る手袋では、繰り返し使用したり、異なる装着者が装着したりすると、「新品の感覚」が損なわれることが懸念される。
【００４８】
これに対し、本発明の実施例１，２では、比較例１〜５と同様に、「２４ｈ後」の伸び率が、「縦」、「横」方向ともに３パーセント以下である。すなわち、実施例１，２に係る手袋では、一度伸ばしても元に戻りやすいため、繰り返し使用したり、異なる装着者が装着しても、「新品の感覚」を保持することができる。
【００４９】
なお、本願発明者は、指を伸ばした状態と、ゴルフクラブをグリップするように指を曲げた状態とについて、指の長さ（人差し指の場合、図４中のＡ＋Ｂ＋Ｃ）および手全体の長さ（人差し指の場合、図４中のＡ＋Ｂ＋Ｃ＋Ｄ）の長さを計算により算出し、実際に指を曲げた状態で手甲部２がどの程度伸びているか（伸び率）を検討した。なお、図４中には、人差し指の寸法を図示しているが、上記計算にあたっては、人差し指の他、中指および小指についても各々伸び率を算出した。なお、この計算は、平均的な男子ゴルファーの手をモデルにして行なったものである。
【００５０】
上記計算の結果、人差し指については、指の長さは約２６．４パーセント、手全体の長さは約２６パーセント伸び、中指については、指の長さは２３．９パーセント、手全体の長さは約２３．３パーセント伸び、薬指については、指の長さは３１．４パーセント、手全体の長さは約３０．２パーセントの伸びている。このように、各指の方向によって伸び率は異なるものの、装着者の指を曲げたときの手甲部２の伸び率としては、概ね３０パーセントの伸びを考慮しておけば十分であることが分かる。本実施の形態では、この計算結果に基づき、手甲部２を構成する皮革の試験片を３０パーセント伸ばすための必要張力を検討したものである。
【００５１】
このように、本実施の形態に係る手袋によれば、手甲部を弱い力で伸ばすことができため、装着者が指を曲げやすく、一旦伸びた手甲部が元の形状に向けて戻るときはゆっくり戻るため、天然皮革のような「手になじむ感覚」を装着者が味わうことができ、さらには、装着者が手袋を外した後は使用前に近い状態にまで戻るため、複数回使用しても、または、複数の装着者が装着しても、「新品の感覚」を装着者が繰り返し味わうことができる。
【００５２】
なお、上記樹脂層として、発泡性樹脂を混ぜて形成したポリウレタン多孔質膜を用い、、かつ、この表面にバフ加工やエンボス加工等を施すことにより、図５（樹脂の断面図）、図６（樹脂の表面図）に示すように、樹脂層の表面にまで達する通気孔が樹脂層の全体に亘って形成される。
【００５３】
これに対し、図７（スムース柄），図８（エンボス柄）に示す合成皮革の比較例（いずれも樹脂の表面図を示す）においては、樹脂層の表面にまで達する通気孔を確認することができない。また、図９（表面図）に示す羊革の比較例においては、毛穴を確認することができるが、このような毛穴は、図５，図６に示す通気孔と比較すると、通気性は低い。
【００５４】
図１０に示すように、発泡性樹脂を混ぜて樹脂層を形成したもの（図１０中の「実施例」）は、一般的な合成皮革および羊革に比べて、通気性が格段に高い。これにより、手の甲からの発汗による「蒸れ」を防止することができる。
【００５５】
なお、本実施の形態に係るゴルフ用手袋の考え方は、ゴルフ用以外のスポーツ用手袋にも適用できるものである。
【００５６】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００５７】
１  ゴルフ用手袋、２  手甲部、３  手掌部、４  襠。
【図１】
2013158533.tif 000003
【図２】
2013158533.tif 000004
【図３】
2013158533.tif 000005
【図４】
2013158533.tif 000006
【図１０】
2013158533.tif 000007
【図５】
2013158533.tif 000008
【図６】
2013158533.tif 000009
【図７】
2013158533.tif 000010
【図８】
2013158533.tif 000011
【図９】
2013158533.tif 000012